【手続補正書】
【提出日】平成19年11月12日(2007.11.12)
【手続補正１】
【補正対象書類名】特許請求の範囲
【補正対象項目名】全文
【補正方法】変更
【補正の内容】
【特許請求の範囲】
【請求項１】
光伝送により、データ通信を行うデータ伝送装置であって、
伝送するべき電気通信データを、光通信データに変換して送出する送信部と、
前記光通信データを受け取り、受け取った前記光通信データを前記電気通信データに変換する光電変換回路と、
前記光電変換回路が受け取った光通信データの入力レベルに対して、予め定められた電気通信データが生成されるように、前記光電変換回路を設定する可変設定部と
を備え、
前記送信部は、
前記電気通信データに基づいて、前記光通信データを生成するレーザダイオードと、
前記レーザダイオードに、前記レーザダイオードのレーザ発振閾電流より大きいバイアス電流を供給するバイアス電流源と
を有し、
前記光電変換回路は、
受け取った前記光通信データに基づいた電流を生成する受光部と、
前記受光部が生成した前記電流に基づいて、前記電気通信データを生成する変換部と
を有し、
前記可変設定部は、前記受光部が生成した電流の大きさを示す電流値から、予めキャリブレーションによって定められた電流値を減じることにより前記光電変換回路を設定する可変電流源を有することを特徴とするデータ伝送装置。
【請求項２】
前記光電変換回路は、
前記受光部が生成した電流の大きさを示す電流値とリファレンス電流とを比較して、前記電気通信データを生成するコンパレータを更に有し、
前記可変電流源は、前記リファレンス電流の値に、予めキャリブレーションにより定められた電流値を加えることにより、前記受光部が生成した電流から予めキャリブレーションにより定められた電流を等価的に減じる
ことを特徴とする請求項１に記載のデータ伝送装置。
【請求項３】
前記受光部は、前記光通信データを電流に変換するフォトダイオードを有し、
前記可変電流源は、前記フォトダイオードのアノードに電気的に接続され、
前記変換部は、
前記フォトダイオードと並列に設けられ、一端が前記フォトダイオードのカソードに電気的に接続される第１の抵抗と、
前記第１の抵抗と直列に設けられ、コレクタ端子が前記第１の抵抗の他端に電気的に接続され、エミッタ端子が前記可変電流源に電気的に接続される第１のトランジスタと、
前記第１のトランジスタのエミッタ端子と電気的に接続され、前記可変電流源と並列に設けられる第１の電流源と、
前記第１の抵抗と並列に設けられ、一端が接地電位に電気的に接続される第２の抵抗と、
前記第２の抵抗と直列に設けられ、コレクタ端子が前記第２の抵抗の他端に電気的に接続される第２のトランジスタと、
前記第２のトランジスタのエミッタ端子と電気的に接続される第２の電流源と、
前記第１のトランジスタ及び前記第２のトランジスタのベース端子に所定の電位を与える電圧源と、
前記第１の抵抗に流れる電流と、前記第２の抵抗に流れる電流とを比較し、前記電気通信データを生成するコンパレータと
を有する請求項１に記載のデータ伝送装置。
【請求項４】
前記受光部は、前記光通信データを電流に変換するフォトダイオードを有し、
前記変換部は、
前記フォトダイオードと並列に設けられ、一端が前記フォトダイオードのカソードに電気的に接続される第１の抵抗と、
前記第１の抵抗と直列に設けられ、コレクタ端子が前記第１の抵抗の他端に電気的に接続される第１のトランジスタと、
前記第１のトランジスタのエミッタ端子と電気的に接続される第１の電流源と、
前記第１の抵抗と並列に設けられ、一端が接地電位に電気的に接続される第２の抵抗と、
前記第２の抵抗と直列に設けられ、コレクタ端子が前記第２の抵抗の他端に電気的に接続される第２のトランジスタと、
前記第２のトランジスタのエミッタ端子と電気的に接続される第２の電流源と、
前記第１のトランジスタ及び前記第２のトランジスタのベース端子に所定の電位を与える電圧源と、
前記第１の抵抗に流れる電流と、前記第２の抵抗に流れる電流とを比較し、前記電気通信データを生成するコンパレータと
を有し、
前記可変電流源は、前記第１のトランジスタのコレクタ端子に電気的に接続される請求項１に記載のデータ伝送装置。
【請求項５】
前記受光部は、前記光通信データを電流に変換するフォトダイオードを有し、
前記光電変換回路は、
前記フォトダイオードと並列に設けられ、一端が前記フォトダイオードのカソードに電気的に接続される第１の抵抗と、
前記第１の抵抗と直列に設けられ、コレクタ端子が前記第１の抵抗の他端に電気的に接続される第１のトランジスタと、
前記第１のトランジスタのエミッタ端子と電気的に接続される第１の電流源と、
前記第１の抵抗と並列に設けられ、一端が接地電位に電気的に接続される第２の抵抗と、
前記第２の抵抗と直列に設けられ、コレクタ端子が前記第２の抵抗の他端に電気的に接続される第２のトランジスタと、
前記第２のトランジスタのエミッタ端子と電気的に接続される第２の電流源と、
前記第１のトランジスタ及び前記第２のトランジスタのベース端子に所定の電位を与える電圧源と
を更に有し、
前記コンパレータは、前記第１の抵抗に流れる電流と、前記第２の抵抗に流れる電流とを比較し、前記電気通信データを生成し、
前記可変電流源は、前記第２のトランジスタのエミッタ端子に電気的に接続される請求項２に記載のデータ伝送装置。
【請求項６】
前記受光部は、前記光通信データを電流に変換するフォトダイオードを有し、
前記光電変換回路は、
前記フォトダイオードと並列に設けられ、一端が前記フォトダイオードのカソードに電気的に接続される第１の抵抗と、
前記第１の抵抗と直列に設けられ、コレクタ端子が前記第１の抵抗の他端に電気的に接続される第１のトランジスタと、
前記第１のトランジスタのエミッタ端子と電気的に接続される第１の電流源と、
前記第１の抵抗と並列に設けられ、一端が接地電位に電気的に接続される第２の抵抗と、
前記第２の抵抗と直列に設けられ、コレクタ端子が前記第２の抵抗の他端に電気的に接続される第２のトランジスタと、
前記第２のトランジスタのエミッタ端子と電気的に接続される第２の電流源と、
前記第１のトランジスタ及び前記第２のトランジスタのベース端子に所定の電位を与える電圧源と、
前記第１の抵抗に流れる電流と、前記第２の抵抗に流れる電流とを比較し、前記電気通信データを生成するコンパレータと
を有し、
前記可変電流源は、前記第２のトランジスタのコレクタ端子に電気的に接続される請求項２に記載のデータ伝送装置。
【請求項７】
前記第１の抵抗及び前記第２の抵抗のインピーダンスは略等しく、
前記第１の電流源と前記第２の電流源とは略同一の電流を生成する
請求項３に記載のデータ伝送装置。
【請求項８】
電子デバイスを試験する試験装置であって、
前記電子デバイスを試験するための試験信号を生成するパターン生成部と、
前記試験信号を整形する波形整形部と、
前記電子デバイスと接触するテストヘッドと、
前記波形整形部と前記テストヘッドとの間のデータの伝送を行うデータ伝送装置と、
前記電子デバイスが、前記試験信号に基づいて出力する出力信号に基づいて、前記電子デバイスの良否を判定する判定部と
を備え、
前記データ伝送装置が、請求項１に記載のデータ伝送装置であることを特徴とする試験装置。
【手続補正２】
【補正対象書類名】明細書
【補正対象項目名】発明の名称
【補正方法】変更
【補正の内容】
【発明の名称】データ伝送装置及び試験装置
【手続補正３】
【補正対象書類名】明細書
【補正対象項目名】０００７
【補正方法】変更
【補正の内容】
【０００７】
上記課題を解決するために、本発明の第１形態においては、光伝送により、データ通信を行うデータ伝送装置であって、伝送するべき電気通信データを、光通信データに変換して送出する送信部と、光通信データを受け取り、受け取った光通信データを電気通信データに変換する光電変換回路と、光電変換回路が受け取った光通信データの入力レベルに対して、予め定められた電気通信データが生成されるように、光電変換回路を設定する可変設定部とを備え、送信部は、電気通信データに基づいて、光通信データを生成するレーザダイオードと、レーザダイオードに、レーザダイオードのレーザ発振閾電流より大きいバイアス電流を供給するバイアス電流源とを有し、光電変換回路は、受け取った光通信データに基づいた電流を生成する受光部と、受光部が生成した電流に基づいて、電気通信データを生成する変換部とを有し、可変設定部は、受光部が生成した電流の大きさを示す電流値から、予めキャリブレーションによって定められた電流値を減じることにより光電変換回路を設定する可変電流源を有することを特徴とするデータ伝送装置を提供する。